(57)【要約】【課題】簡易な構造を有し、また、スタンドと表示ユニットを取り付けるとき、容易に双方の位置決めを行うことができる表示装置を提供する。【解決手段】テレビジョン放送受信装置１は、背面にシャーシ２３が設けられ、画像を表示する表示ユニット２０と、シャーシ２３から垂直方向に立ち上がる略Ｌ字形状を有し、シャーシ２３の所定の位置からの切り起こしによって形成される第１及び第２のガイド６、７と、表示ユニット２０を取付け可能なブラケット５を有し、ブラケット５は、その先端に先端部５３と、その左右に第１及び第２の凹部５４、５５と、を有し、第１及び第２のガイド６、７の間に先端部５３を挿入し、第１及び第２の凹部５４、５５と第１及び第２のガイド６、７とが接することによって表示ユニット２０を水平に支持するスタンド部３とを備える。【選択図】図３
2009058916.tif 000002
【特許請求の範囲】
【請求項１】
背面に取付部が設けられ、画像を表示する表示ユニットと、
前記取付部に設けられた一対の位置決め部材と、
前記一対の位置決め部材に基づいて前記表示ユニットに対して位置決めされて、前記取付部に固定され、前記表示ユニットを水平に支持するスタンドと、
を備えたことを特徴とする表示装置。
【請求項２】
前記一対の位置決め部材は、前記表示ユニットに基づいた長手方向に平行に設けられることを特徴とする請求項１に記載の表示装置。
【請求項３】
前記一対の位置決め部材は、前記取付部に切り起こし形成することにより設けられることを特徴とする請求項１に記載の表示装置。
【請求項４】
前記一対の位置決め部材は、前記取付部から垂直方向に立ち上がる基部と、前記基部と一定の角度をなして形成される案内部と、を有し、前記基部と前記案内部により略Ｌ字形状をなすことを特徴とする請求項３に記載の表示装置。
【請求項５】
前記一対の位置決め部材は、前記スタンドに対する前記表示ユニットの水平からのずれを規制する第１のストッパと、前記スタンドに対する前記表示ユニットの前後のずれを規制する第２のストッパと、をそれぞれ有することを特徴とする請求項１に記載の表示装置。
【請求項６】
前記一対の位置決め部材は、前記取付部から垂直方向に立ち上がる基部と、前記基部と一定の角度をなして形成される案内部と、を有し、前記基部と前記案内部により略Ｌ字形状に形成され、
前記スタンドは、前記表示ユニットを取り付け可能なブラケットを有し、
前記ブラケットは、その先端部の左右に前記ブラケットに対して水平である水平部を有する第１及び第２の凹部を有し、前記一対の位置決め部材の間に前記先端部を挿入し、前記第１及び第２の凹部の前記水平部と前記一対の位置決め部材の前記第１のストッパとが接することによって前記表示ユニットは、前記スタンドに水平に支持されることを特徴とする請求項５に記載の表示装置。
【請求項７】
背面に取付部が設けられ、画像を表示する表示ユニットと、
前記取付部に設けられた一対の位置決め部材と、
前記一対の位置決め部材に基づいて前記表示ユニットに対して位置決めされて、前記取付部に固定され、前記表示ユニットを水平に支持するスタンドと、
を備え、
前記一対の位置決め部材は、前記取付部から垂直方向に立ち上がる基部と、前記基部と一定の角度をなして形成される案内部と、を有し、前記基部と前記案内部により略Ｌ字形状に形成され、更に、前記スタンドに対する前記表示ユニットの水平からのずれを規制する第１のストッパと、前記スタンドに対する前記表示ユニットの前後のずれを規制する第２のストッパと、を有し、
前記スタンドは、前記表示ユニットを取り付け可能なブラケットを有し、
前記ブラケットは、その先端部の左右に前記ブラケットに対して水平である水平部を有する第１及び第２の凹部を有し、前記一対の位置決め部材の間に前記先端部を挿入し、前記第１及び第２の凹部の前記水平部と前記一対の位置決め部材の前記第１のストッパとが接することによって前記表示ユニットは、前記スタンドに水平に支持されることを特徴とする表示装置。
【発明の詳細な説明】
【技術分野】
【０００１】
本発明は、表示装置に関し、特に表示ユニットの支持構造に関する。
【背景技術】
【０００２】
従来の技術として、スタンド部と本体部との取り付け部分において、スタンド部と本体部の取り付け位置を微調整することができる薄型表示装置が知られている（例えば、特許文献１参照）。
【０００３】
この薄型表示装置は、本体部を支持するためのアルミフレームと、スタンド部に設けられた回転ユニット及び取り付けアングルと、を備え、アルミフレームが、取り付けアングルを介してスタンド部の回転ユニットに回転自在に固定されている。また、取り付けアングルには、一対の位置決めピンと、複数の固定孔と、矩形状を有する２つの位置調整孔が設けられている。
【０００４】
アルミフレームと取り付けアングルの取り付けは、まず、アルミフレームを貫通してくる前面パネルからの各ボスを位置決めピンに挿入し、アルミフレームと取り付けアングルの位置決めを行う。
【０００５】
続いて、固定孔にねじを挿入して、アルミフレームを取り付けアングルに仮止めを行う。次に、ねじ頭が卵型形状を有する偏心カムを位置調整孔に挿入し、偏心カムを回転させることによって、取り付けアングルとアルミフレームとの水平方向の取り付け位置を微調整することができる。
【特許文献１】特開２００４−１１２２３４号公報
【発明の開示】
【発明が解決しようとする課題】
【０００６】
しかし、従来の薄型表示装置によると、偏心カムを回転させることで、水平方向の取り付け位置を微調整するため、水平器等を用いて、水平を測定しながら偏心カムを回転させならず、取り付け位置の微調整が煩雑であり、また、取り付けに時間がかかるという問題があった。
【０００７】
従って、本発明の目的は、簡易な構造を有し、また、スタンドと表示ユニットを取り付けるとき、容易に双方の位置決めを行うことができる表示装置を提供することにある。
【課題を解決するための手段】
【０００８】
（１）本発明は上記目的を達成するため、背面に取付部が設けられ、画像を表示する表示ユニットと、前記取付部に設けられた一対の位置決め部材と、前記一対の位置決め部材に基づいて前記表示ユニットに対して位置決めされて、前記取付部に固定され、前記表示ユニットを水平に支持するスタンドと、を備えたことを特徴とする表示装置を提供する。
【０００９】
このような構成によれば、簡易な構造を有し、また、スタンドと表示ユニットを取り付けるとき、容易に双方の位置決めを行うことができる。
【００１０】
（２）本発明は上記目的を達成するため、背面に取付部が設けられ、画像を表示する表示ユニットと、前記取付部に設けられた一対の位置決め部材と、前記一対の位置決め部材に基づいて前記表示ユニットに対して位置決めされて、前記取付部に固定され、前記表示ユニットを水平に支持するスタンドと、を備え、前記一対の位置決め部材は、前記取付部から垂直方向に立ち上がる基部と、前記基部と一定の角度をなして形成される案内部とを有し、前記基部と前記案内部により略Ｌ字形状に形成され、更に、前記スタンドに対する前記表示ユニットの水平からのずれを規制する第１のストッパと、前記スタンドに対する前記表示ユニットの前後のずれを規制する第２のストッパと、を有し、前記スタンドは、前記表示ユニットを取り付け可能なブラケットを有し、前記ブラケットは、その先端部の左右に前記ブラケットに対して水平である水平部を有する第１及び第２の凹部を有し、前記一対の位置決め部材の間に前記先端部を挿入し、前記第１及び第２の凹部の前記水平部と前記一対の位置決め部材の前記第１のストッパとが接することによって前記表示ユニットは、前記スタンドに水平に支持されることを特徴とする表示装置を提供する。
【００１１】
このような構成によれば、簡易な構造を有し、また、スタンドと表示ユニットを取り付けるとき、容易に双方の位置決めを高精度で行うことができる。
【発明の効果】
【００１２】
本発明によれば、簡易な構造を有し、また、スタンドと表示ユニットを取り付けるとき、容易に双方の位置決めを高精度で行うことができる。
【発明を実施するための最良の形態】
【００１３】
以下に、本発明の表示装置の実施の形態を図面を参考にして詳細に説明する。
【００１４】
［実施の形態］
（テレビジョン放送受信装置１の構成）
図１は、本発明の実施の形態に係るテレビジョン放送受信装置を正面側から見た斜視図であり、図２は、本発明の実施の形態に係るテレビジョン放送受信装置を後面側から見た斜視図である。図２においては、図１に示すリアカバーを取り外した状態を表している。本実施の形態において、表示装置の一例として、テレビジョン放送受信装置について説明するが、本発明の表示装置は、デスクトップ型のパーソナルコンピュータ等の電子機器に用いられるディスプレイ装置も含むものである。
【００１５】
このテレビジョン放送受信装置１は、画像を表示する表示ユニット２０をフロントカバー２１およびリアカバー２２により覆われた装置本体２と、装置本体２を後述するブラケット５を介して固定するスタンド部３とを備えて概略構成されている。また、表示ユニット２０を支持する支持構造は、ブラケット５と、後述する一対の位置決め部材としての第１及び第２のガイド６、７と、によって概略構成されている。
【００１６】
表示ユニット２０は、後述するブラケット５を固定するためのシャーシ２３を背面に有し、２つの偏光板間に配置された液晶パネルと、液晶パネルの背面側に積層された導光板と、導光板の側面に照明光を入射して液晶パネルを照射するバックライトと、これらの液晶パネル、偏光板、導光板、バックライトを保持する金属製の筐体とを備えて概略構成されている。液晶パネルは、ブラウン管ディスプレイ、プラズマディスプレイ等の他のディスプレイでもよい。
【００１７】
フロントカバー２１は、表示ユニット２０の表示面２０ａに対応する窓２１ａが形成され、窓２１ａの下方には、ＬＥＤの点灯光を透過させる複数のＬＥＤ点灯窓２１ｂが形成されている。フロントカバー２１及びリアカバー２２は、ポリカーボネート等の樹脂から形成されている。リアカバー２２は、下側にブラケット５を逃げる切欠または開口を有している。
【００１８】
スタンド部３は、脚部３ａと、脚部３ａの上面に設けられ、ブラケット５と固定されることで、装置本体２を回転可能に支持する回転支持部３ｂとから概略構成されている。
【００１９】
（ブラケット５の構成）
図３は、本発明の実施の形態に係るブラケットの斜視図であり、シャーシ２３にブラケット５を仮組みした状態を表している。
【００２０】
ブラケット５は、例えば、厚みが３〜５ｍｍの鋼板、アルミニウム、アルミニウム合金等の金属によって形成され、図示しないねじによってシャーシ２３にブラケット５を固定するための複数のねじ穴５０ａを有する本体５０と、本体５０の左右側部に設けられ、本体５０から垂直方向に設けられた左側部５１ａ及び右側部５１ｂと、複数のねじ穴５２ａを有し、左側部５１ａ及び右側部５１ｂとによってコ字形状となるように、本体５０の下側に設けられた底部５２と、本体５０の先端部分であり、後述する第１及び第２のガイド６、７の間に挿入される先端部５３と、先端部５３の左右側部に設けられた、略Ｌ字形状を有する第１及び第２の凹部５４、５５と、を備えて概略構成されている。底部５２は、ねじ５２ｂ及びワッシャー等を介して回転支持部３ｂと回転可能に固定されている。なおブラケット５の厚みは、これに限定されず、使用する部材の強度に応じて変化する。
【００２１】
（第１及び第２の凹部５４、５５の構成）
第１の凹部５４は、先端部５３の左端部から緩やかな曲線を有する曲部５４ａと、その曲部５４ａの端部から水平部５４ｃに向かって垂直方向に伸びる垂直部５４ｂと、垂直部５４ｂの端部から本体５０の左端部に向かって水平方向に伸びる水平部５４ｃとから概略構成されており、第２の凹部５５も同様に、曲部５５ａ、垂直部５５ｂ及び水平部５５ｃとから概略構成されている。ここで、テレビジョン放送受信装置１の水平とは、テレビジョン放送受信装置１の長手方向によって規定されるものであり、更に、スタンド部３（ブラケット３）における水平とは、テレビジョン放送受信装置１における水平に平行であるとする。なぜなら、スタンド部３における水平においても、テレビジョン放送受信装置１に対する水平と一致させる必要があるからである。
【００２２】
（第１及び第２のガイド６、７の構成）
図４は、本発明の実施の形態に係る第１及び第２のガイドの斜視図であり、図５Ａは、本発明の実施の形態に係る第１のガイドの形成工程を示す図であり、図５Ｂは、本発明の実施の形態に係る第２のガイドの形成工程を示す図である。
【００２３】
第１及び第２のガイド６、７は、シャーシ２３から垂直方向に立ち上がる略Ｌ字形状を有し、第１のガイド６は、シャーシ２３の切欠部２３ａに対して垂直方向に切り起こされた基部６ａと、基部６ａの下側端部から垂直方向下側に伸び、シャーシ２３に平行で、かつ、基部６ａに対して切欠部２３ａ方向に図５Ａ（ｃ）に示す角度θを有する案内部６ｂとを備えて概略構成される。
【００２４】
また、第１のガイド６は、図４に示すように、基部６ａと案内部６ｂによって凹部６ｃが形成され、凹部６ｃは、ブラケット５の第１の凹部５４が挿入され、図５Ａ（ａ）に示す、第１の凹部５４の水平部５４ｃの上面側が接する第１のストッパ６ｄと、第１の凹部５４の水平部５４ｃの側面側が接する第２のストッパ６ｅとを備えて概略構成されている。第１のストッパ６ｄは、ブラケット５の水平からのずれを規制し、第２のストッパ６ｅは、表示ユニット２０の前後のずれを規制している。
【００２５】
第２のガイド７は、第１のガイド６の左右対称となる構造と、共通の機能を有し、図４に示すように、基部７ａ、案内部７ｂ及び凹部７ｃを備えて概略構成され、凹部７ｃは、図５Ｂ（ｄ）に示す、第１のストッパ７ｄ及び第２のストッパ７ｅを備えて概略構成されており、第１のガイド６の案内部６ｂと第２のガイド７の案内部７ｂは、テレビジョン放送受信装置１の背面側から見ると、略ハ字形状に見えるように、例えば、θが９０度以上１８０度以下の範囲で形成されており、ブラケット５の先端部５３を挿入し易い形状となっている。
【００２６】
また、第１及び第２のガイド６、７は、表示ユニット２０の水平線上に設けられ、凹部６ｃ及び７ｃは、ブラケット５の第１及び第２の凹部５４、５５が挿入できるように、例えば、第１及び第２の凹部５４、５５の厚みより１〜２ｍｍ広く形成されている。更に、第１のガイド６の基部６ａから第２のガイド７の基部７ａまでの幅は、ブラケット５の第１の凹部５４の垂直部５４ｂから第２の凹部５５の垂直部５５ｂまでの幅より１〜２ｍｍ広く設けられている。
【００２７】
これは、後述するブラケット５とシャーシ２３とを取り付けたとき、表示ユニット２０の前後方向、又は、水平線上に取り付け位置がずれたとしても、ユーザが、位置ずれを認識することが困難であることによる。一方、ブラケット５とシャーシ２３の水平がずれているとき、例えば、表示ユニット２０が傾いて取り付けられたとき、ユーザは、位置ずれを敏感に認識する。よって、第１及び第２のガイド６、７は、第１及び第２のガイド６、７の第１のストッパ６ｄ及び７ｄを結んだ直線が、シャーシ２３の水平線に一致するように設けられる。上記した表示ユニット２０の支持構造を採用することによって、シャーシ２３にブラケット５を挿入したとき、その水平からのずれは、０．１５度程度に抑えることができる。
【００２８】
（第１及び第２のガイド６、７の形成について）
第１のガイド６の形成は、まず、図５Ａ（ａ）に示すように、シャーシ２３の所定の位置に、プレス加工によって切欠部２３ａを形成する。
【００２９】
続いて、図５Ａ（ｂ）に示すように、基部６ａ及び案内部６ｂをシャーシ２３に対して曲げ加工を施すことにより垂直に起こす。
【００３０】
更に、図５Ａ（ｃ）に示すように、案内部６ｂの所定の位置からブラケット５が挿入される方向とは逆方向に、すなわち、矢印Ａ方向に基部６ａとの角度がθとなるように曲げ加工を施すことにより、第１のガイド６が形成される。
【００３１】
第２のガイド７の形成も同様に、まず、図５Ｂ（ｄ）に示すように、シャーシ２３の所定の位置に、プレス加工によって切欠部２３ｂを形成する。
【００３２】
続いて、図５Ｂ（ｅ）に示すように、基部７ａ及び案内部７ｂをシャーシ２３に対して曲げ加工を施すことにより、垂直に起こす。
【００３３】
更に、図５Ｂ（ｆ）に示すように、案内部７ｂの所定の位置からブラケット５が挿入される方向とは逆方向に、すなわち、矢印Ｂ方向に基部７ａとの角度がθとなるように曲げ加工を施すことにより、第２のガイド７が形成される。
【００３４】
（動作）
以下に、本発明の実施の形態におけるブラケット５に対する表示ユニット２０の取り付け動作を、上記した図１から５と、後述する図６から８を参照しながら詳細に説明する。
【００３５】
図６は、本発明の実施の形態に係るブラケットをシャーシに取り付ける前の状態を示した図であり、図７は、本発明の実施の形態に係るブラケットをシャーシに取り付けた後の状態を示した図であり、図８は、本発明の実施の形態に係る第２のガイド周辺の拡大図であり、取り付け動作として、工場における取り付け動作を例にとって説明する。
【００３６】
作業員は、ブラケット５が取り付けられたスタンド部３を図示しない台に固定した後、表示ユニット２０の取り付け作業を開始する。
【００３７】
作業員は、第１のガイド６と第２のガイド７の間に、ブラケット５の先端部５３を挿入するため、図６に示す矢印Ｃ方向に表示ユニット２０を移動させる。
【００３８】
このとき、例えば、表示ユニット２０が、表示ユニット２０の背面側から見て、僅かに左側が右側に比べて上方に傾いたまま、ブラケット５に挿入される場合、まず、ブラケット５の先端部５３に設けられた曲部５５ａが、図６に示す、第２のガイド７の案内部７ｂに接する。
【００３９】
この状態から、更に、図６に示す矢印Ｃ方向に表示ユニット２０を移動させると、案内部７ｂは、先端部５３の曲部５５ａの曲線に沿ってガイドされることにより、先端部５３の垂直部５５ｂ方向に移動、すなわち、表示ユニット２０が、図６に示す矢印Ｄ方向に微小区間移動する。
【００４０】
このとき、先端部５３の左側にある曲部５４ａは、第１のガイド６の案内部６ｂには、接触せずに、第１の凹部５４の垂直部５４ｂが、第１のガイド６の基部６ａと接触、又は、僅かな隙間を有することになる。これは、上述したように、第１及び第２のガイド６、７間の幅よりもブラケット５の第１及び第２の凹部５４、５５の幅の方が、狭いからである。
【００４１】
更に、作業者が、図６に示す矢印Ｃ方向に表示ユニット２０を移動させると、曲部５５ａと案内部７ｂとの接触から、第２のガイド７の基部７ａと先端部５３の垂直部５５ｂの接触へと変化し、更に、作業者が、図６に示す矢印Ｃ方向、及びシャーシ２３とブラケット５が接するように表示ユニット２０を前後に移動させると、ブラケット５の水平部５５ｃが、第２のガイド７の凹部７ｃに挿入され、水平部５５ｃは、凹部７ｃの第１のストッパ７ｄに接触する。
【００４２】
ブラケット５の左側にある第１の凹部５４の水平部５４ｃもまた、第１のガイド６の凹部６ｃに挿入され、表示ユニット２０は、図７及び図８に示すように、ブラケット５の第１及び第２の凹部５４、５５の水平部５４ｃ、５５ｃと、第１及び第２のガイド６、７の第１のストッパ６ｄ、７ｄとによって支持されることとなる。なお、第１及び第２のストッパ６ｄ、７ｄは、シャーシ２３の所定の位置から、切り起こし形成によって形成されているので、シャーシ２３に穴を開け、位置決め部材を設ける場合に比べて、表示ユニット２０を支持するのに十分な強度を有する。
【００４３】
このとき、第１及び第２のストッパ６ｄ、７ｄは、上記したように、表示ユニット２０に対して水平に設けられているので、表示ユニット２０は、ブラケット５に対して水平に支持される。
【００４４】
作業者は、図７に示すねじ穴５０ａにねじを挿入し、ねじによってブラケット５とシャーシ２３を固定する。このとき、表示ユニット２０の前後方向のずれは解消され、また、水平線上のずれも解消される。作業者によるブラケット５とシャーシ２３の固定が終了した後、リアカバー２２等を取り付けて、作業は終了する。
【００４５】
（変形例）
図９は、本発明の実施の形態に係る変形例を示した図である。本変形例は、実施の形態における第１のストッパ６ｄ及び７ｄに代えて第１及び第２の位置決めピン８ａ、８ｂをシャーシ２３に設け、更に、実施の形態における第２のストッパ６ｅ及び７ｅに代えて第１の切越部材９ａ及び９ｂを設けて構成されている。本変形例においては、ブラケット５の先端部５３が第１及び第２の位置決めピン８ａ、８ｂに接することによって、表示ユニット２０を水平にブラケット５に取り付けることができる。第１及び第２の切越部材９ａ、９ｂは、表示ユニット２０の前後のずれを規制している。
【００４６】
本実施の形態におけるテレビジョン放送受信装置１は、水平度を測定できる機器を用いなくても、簡単な構成によって、表示ユニット２０をブラケット５に高い精度で水平に取り付けることができる。
【００４７】
なお、本発明は、上記した実施の形態に限定されず、本発明の技術思想を逸脱あるいは変更しない範囲内で種々の変形が可能である。
【図面の簡単な説明】
【００４８】
【図１】本発明の実施の形態に係るテレビジョン放送受信装置を正面側から見た斜視図である。
【図２】本発明の実施の形態に係るテレビジョン放送受信装置を後面側から見た斜視図である。
【図３】本発明の実施の形態に係るブラケットの斜視図である。
【図４】本発明の実施の形態に係る第１及び第２のガイドの斜視図である。
【図５Ａ】本発明の実施の形態に係る第１のガイドの形成工程を示す図である。
【図５Ｂ】本発明の実施の形態に係る第２のガイドの形成工程を示す図である。
【図６】本発明の実施の形態に係るブラケットをシャーシに取り付ける前の状態を示した図である。
【図７】本発明の実施の形態に係るブラケットをシャーシに取り付けた後の状態を示した図である。
【図８】本発明の実施の形態に係る第２のガイド周辺の拡大図である。
【図９】本発明の実施の形態に係る変形例を示した図である。
【符号の説明】
【００４９】
１…テレビジョン放送受信装置、２…装置本体、３…スタンド部、３ａ…脚部、３ｂ…回転支持部、５…ブラケット、６…第１のガイド、６ａ…基部、６ｂ…案内部、６ｃ…凹部、６ｄ…第１のストッパ、６ｅ…第２のストッパ、７…第２のガイド、７ａ…基部、７ｂ…案内部、７ｃ…凹部、７ｄ…第１のストッパ、７ｅ…第２のストッパ、８ａ…第１の位置決めピン、８ｂ…第２の位置決めピン、９ａ…第１の切越部材、９ｂ…第２の切越部材、２０…表示ユニット、２０ａ…表示面、２１…フロントカバー、２１ａ…窓、２１ｂ…ＬＥＤ点灯窓、２２…リアカバー、２３…シャーシ、２３ａ、２３ｂ…切欠部、５０…本体、５０ａ…ねじ穴、５１ａ…左側部、５１ｂ…右側部、５２…底部、５２ａ…ねじ穴、５２ｂ…ねじ、５３…先端部、５４…第１の凹部、５４ａ…曲部、５４ｂ…垂直部、５４ｃ…水平部、５５…第２の凹部、５５ａ…曲部、５５ｂ…垂直部、５５ｃ…水平部、Ａ〜Ｄ…矢印、θ…角度
【図１】
2009058916.tif 000003
【図２】
2009058916.tif 000004
【図３】
2009058916.tif 000005
【図４】
2009058916.tif 000006
【図５Ａ】
2009058916.tif 000007
【図５Ｂ】
2009058916.tif 000008
【図６】
2009058916.tif 000009
【図７】
2009058916.tif 000010
【図８】
2009058916.tif 000011
【図９】
2009058916.tif 000012